(57)【要約】【課題】配線作業を容易に行うことができ、且つ電源線との接続信頼性を向上させることができること。【解決手段】照明器具１は、下面が開口する箱型の器具本体２と灯体３と点灯装置１５と端子台１６と回動支持手段と固定手段とを備える。灯体３は光源を配設してなり器具本体２下面を塞ぐように取付けられる。点灯装置１５は灯体３上面側に配設され光源を点灯させる。端子台１６は灯体３上面側に配設され点灯装置１５と電気的に接続され外部電源と電源線８（図５に図示）を通じて接続される。回動支持手段は器具本体２下面左端部を支点に灯体３を開位置と閉位置の間で回動自在に支持する。固定手段は灯体３が閉位置のとき灯体３右端部と器具本体２下面右端部を固定する。電源線８は電線８ａ〜８ｃがシース９で被覆された多芯構造を有する。入力端子部１６ａ〜１６ｃは端子台１６の上面１６ｄにて灯体３が開位置のとき水平方向に沿って並んで設けられている。【選択図】図１
2011060718.tif 000002
【特許請求の範囲】
【請求項１】
下面が開口する箱型に形成された器具本体と、板状に形成されて光源を配設してなり器
具本体の下面を上面で塞ぐように取り付けられる灯体と、灯体の上面側に配設され光源を
点灯させる点灯装置と、灯体の上面側に配設され点灯装置と電気的に接続されるとともに
外部電源と電源線を通じて接続される端子台と、器具本体の下面一端部を支点に灯体の一
端部を、灯体の上面が器具本体の下面に対して垂直方向にある開位置と器具本体の下面を
塞ぐ閉位置との間で回動自在に支持する回動支持手段と、前記回動により灯体が閉位置に
あるときに灯体の他端部と器具本体の下面他端部とを固定する固定手段とを備え、
電源線は、少なくとも複数の電線がシースによって被覆された多芯構造を有し、
前記電線と各々接続する複数の入力端子部は、灯体が閉位置にあるとき上方を向く端子
台の上面において、灯体が開位置にあるとき水平方向に沿って並んで設けられていること
を特徴とする照明器具。
【発明の詳細な説明】
【技術分野】
【０００１】
本発明は、照明器具に関するものである。
【背景技術】
【０００２】
従来より、光源等の交換や点検作業を容易に行うことができる照明器具が提供されてい
る（例えば、特許文献１参照）。
【０００３】
また、このような照明器具の一例として図６に示すような照明器具９０がある。照明器
具９０は、器具本体９１と、灯体９２と、点灯装置９３と、端子台９４と、回動支持手段
及び固定手段とを備える。器具本体９１は、下面が開口する箱型に形成されてその開口内
の天面に点灯装置９３及び端子台９４が設置される。灯体９２は、板状に形成されて光源
（図示せず）を配設してなり、器具本体９１の下面を上面で塞ぐように取り付けられる。
点灯装置９３は前記光源を点灯させるためのもので、端子台９４は点灯装置９３と電気的
に接続されるとともに外部電源（商用電源）と電源線（図示せず）を通じて接続される。
【０００４】
回動支持手段は、灯体９２の左側端部が略鉤状に形成されてなる引掛部９５と器具本体
９１の下面左端部が前後方向に亘ってＬ字状に形成された被引掛部９６とからなる。そし
て引掛部９５を被引掛部９６に引掛けることにより、器具本体９１の下面左端部を支点に
灯体９２の左側端部は、灯体９２の上面が器具本体９１の下面に対して垂直方向にある開
位置と、器具本体９１の下面を塞ぐ閉位置との間で回動自在に支持される。
【０００５】
一方、固定手段は、固定ネジ９７と器具本体９１の下面右端部に穿設され固定ネジ９７
が螺合するネジ孔９８とからなる。そして、前記回動により灯体９２が閉位置にあるとき
固定ネジ９７を灯体９２右端部に貫設される孔部９９に挿通させて、ネジ孔９８に螺合す
ることで灯体９２が器具本体９１に固定される。従って、照明器具９０は、灯体９２の器
具本体９１への取り付け作業が容易で、更に器具本体９１が天井面に固定されていても固
定ネジ９７を外すだけで、器具本体９１の下面左端部を支点に灯体９２を回動させれば器
具本体９１内を容易に確認することができる。
【０００６】
ところで、照明器具９０は、図７に示すように複数のランプ線１００，１０１（図中で
は２本のみ）を備える。ここでランプ線１００は、一端側にオス型のコネクタが配設され
て、他端側が点灯装置９３の出力端子部に接続されてなる。また、ランプ線１０１は、一
端側に前記オス型のコネクタと抜差自在に接続されるメス型のコネクタが配設されて、他
端側が図示しない光源に接続されてなる。すなわち、照明器具９０は、図示しない電源線
を端子台９４に接続して、更に電源線とは別にランプ線１００，１０１の当該コネクタ同
士を互いに接続してから、図７に示すように灯体９２を閉位置に向かって回動（曲線矢印
参照）させる必要があり、非常に手間のかかる作業となっていた。特に、光源が多数のＬ
ＥＤ（発光ダイオード）である場合には、ランプ線の数も多くなり骨の折れる作業となる
。
【０００７】
これに対して、従来より図８に示すように灯体９２の上面側に点灯装置９３及び端子台
９４とが配設された照明器具１１０が提供されている。この照明器具１１０は、予め点灯
装置９３の出力端子部と灯体９２の光源とが図示しないランプ線により接続されていて、
灯体９２を閉位置へ回動する際には、器具本体９１上面に貫設された電源孔１０４より引
き込まれて垂下する電源線１０２を端子台９４に接続するだけでよい。従って、光源等の
交換や点検作業を行うために灯体９２を取り外したり取り付けたりするときにも、電源線
１０２だけを端子台９４から抜き差しすればよく、配線作業を容易に行うことができる。
【０００８】
尚、電源線１０２は、図８及び図９に示すように、例えば３本の電線１０２ａ〜１０２
ｃがシース１０３によって被覆された多芯構造を有する。また、端子台９４は、図８及び
図９に示すように、全体として略矩形箱に形成されたケース内に所謂速結端子が複数収納
されてなる。そして、灯体９２が閉位置にあるとき上方を向く端子台９４の上面９４ｄに
おいて、図９に示すように、灯体９２が開位置にあるとき電線１０２ａ〜１０２ｃが各々
抜き差し自在に接続される３つの入力端子部９４ａ〜９４ｃが２組と、これらと対向して
貫設される６個の挿入口１０５とが２列に上下方向に沿って並んで設けられている。
【先行技術文献】
【特許文献】
【０００９】
【特許文献１】特開平０７−０９９００６号公報
【発明の概要】
【発明が解決しようとする課題】
【００１０】
しかしながら、従来の照明器具１１０は、灯体９２が開位置にあるときに端子台９４の
入力端子部９４ａ〜９４ｃが上下方向に沿って並んで設けられているため、電源線１０２
を端子台９４に接続する際に、図９に示すように上下方向に沿って並ぶ入力端子部９４ａ
〜９４ｃに合わせて電線１０２ａ〜１０２ｃを上下方向に揃えながら垂下する電源線１０
２を左方向へ曲げようとすると、各電線１０２ａ〜１０２ｃにかかる応力に差が生じるこ
とから（電線１０２ｃにかかる応力が最も大きい）、容易に曲げることが出来ず配線作業
性が悪いという問題があった。また、それでも電源線１０２を無理に曲げようとすると、
図９に示すように電線１０２ａ〜１０２ｃの先端から各々対応する入力端子部９４ａ〜９
４ｃまでの距離にバラつきが生じて接触信頼性を悪くする恐れがあった。特に、電源線８
が一般住宅等で単相３線用に使用される３芯のＶＶＦケーブルである場合に上記問題が顕
著となる。すなわち、ＶＶＦケーブルは、シース内で３本の電線が同一平面上に一列に並
んで設けられていて全体として略帯状に形成されるので、垂下するＶＶＦケーブルに対し
てその短手方向が上下方向に向くように曲げようとするのは困難である。
【００１１】
本発明は上記事由に鑑みて為されたものであり、その目的は、配線作業を容易に行うこ
とができ、且つ電源線との接続信頼性を向上させることができる照明器具を提供すること
にある。
【課題を解決するための手段】
【００１２】
請求項１の発明は、上記目的を達成するために、下面が開口する箱型に形成された器具
本体と、板状に形成されて光源を配設してなり器具本体の下面を上面で塞ぐように取り付
けられる灯体と、灯体の上面側に配設され光源を点灯させる点灯装置と、灯体の上面側に
配設され点灯装置と電気的に接続されるとともに外部電源と電源線を通じて接続される端
子台と、器具本体の下面一端部を支点に灯体の一端部を、灯体の上面が器具本体の下面に
対して垂直方向にある開位置と器具本体の下面を塞ぐ閉位置との間で回動自在に支持する
回動支持手段と、前記回動により灯体が閉位置にあるときに灯体の他端部と器具本体の下
面他端部とを固定する固定手段とを備え、電源線は、少なくとも複数の電線がシースによ
って被覆された多芯構造を有し、前記電線と各々接続する複数の入力端子部は、灯体が閉
位置にあるとき上方を向く端子台の上面において、灯体が開位置にあるとき水平方向に沿
って並んで設けられていることを特徴とする。
【００１３】
この発明によれば、灯体が開位置にあるときに端子台の入力端子部は水平方向に沿って
並んで設けられているので、前記開位置で電源線の複数の前記電線を各入力端子部へ接続
する際に、例えば垂下する電源線に対して複数の前記電線が前記水平方向と平行になるよ
うに容易に曲げることができる。また、前記水平方向と平行になるように電源線を曲げた
ときに、各電線の先端から入力端子部までの距離を均一に保つことができる。従って、配
線作業を容易に行うことができ、且つ電源線との接続信頼性を向上させることができる。
【発明の効果】
【００１４】
本発明では、配線作業を容易に行うことができ、且つ電源線との接続信頼性を向上させ
ることができるという効果がある。
【図面の簡単な説明】
【００１５】
【図１】本発明の実施形態の下方斜視図である。
【図２】同上における断面図である。
【図３】同上における平面図を示し、（ａ）は正面図で、（ｂ）は上面図で、（ｃ）は右側面図で、（ｄ）は底面図である。
【図４】同上における灯体を器具本体へ取り付けるときの説明図である。
【図５】同上における要部斜視図である。
【図６】従来の照明器具の一例の下方斜視図である。
【図７】同上における正面図である。
【図８】従来の照明器具の別の一例の正面図である。
【図９】同上における要部斜視図である。
【発明を実施するための形態】
【００１６】
以下、本発明の実施形態について、図１〜図５を参照して説明する。尚、以下の説明で
は、特に断りのない限り、図２において上下左右方向を規定して図２の正面を前面として
説明を行う。
【００１７】
本実施形態の照明器具１は、図１〜図３に示すように、器具本体２と、灯体３と、点灯
装置１５と、端子台１６と、回動支持手段たる引掛部４及び被引掛部５と、固定手段たる
固定ネジ６及び固定ネジ６が螺合するネジ孔１３とを備えた天井直付型の照明器具である
。
【００１８】
器具本体２は、図１〜図３に示すように、例えば１枚の細長い金属板を板金加工により
下面が開口する細長矩形箱に形成されてなる。また、器具本体２の下面左端部には前後両
端に亘って被引掛部５が配設される。この被引掛部５は、前記下面左端部から左方向に延
出して且つ上方へ曲折されてなり、前方から見たときに断面Ｌ字形状に形成される。更に
、器具本体２の下面左端部において、図２及び図３（ｂ）に示すように、前後方向に延び
る被引掛部５を前後両端から挟むように、段状に形成された一対のエンド部７，７（図２
では後端のみを図示）が配設される。尚、本実施形態の器具本体２は全体として左右対称
に形成されていて、即ち下面右端部にも同様の被引掛部５及び一対のエンド部７，７が配
設される。
【００１９】
器具本体２上面の中心部には、図１、図２及び図３（ｂ）に示すように、外部電源（商
用電源）に接続された電源線（図示せず）やその他電気線を器具本体２内へ引き込むため
の電源孔２ａが貫設される。また、器具本体２上面の前後端には、図１及び図３（ｂ）に
示すように、長孔２ｂ，２ｂが各々貫設され、例えばシステム天井の吊りボルト（図示せ
ず）を長孔２ｂ，２ｂに挿通させてナット（図示せず）に螺合させることで器具本体２が
天井面に取り付けられる。
【００２０】
灯体３は、図１〜図３に示すように、６つの光源ブロック３１と、枠体３２と、６つの
透光パネル３３とから構成される。光源ブロック３１は、正方形に形成された平板のベー
ス３１ａ下面に光源たる９個のＬＥＤ（発光ダイオード）３１ｂを前後左右方向に均等に
配設してなる。
【００２１】
枠体３２は、図１〜図３に示すように、前後方向に細長い帯板状に形成される保持体３
２ａと、一対の枠部１１，１１とから構成される。保持体３２ａは、図１〜図３に示すよ
うに、器具本体２よりも外形寸法の大きい１枚の細長い金属板が板金加工により左右両側
端部で上方へ曲折される。また、保持体３２ａは、前後方向に沿って光源ブロック３１の
外形寸法よりやや小さい寸法の正方形状に開口する６つの窓部（図示せず）を備える。そ
して、６つの光源ブロック３１は、各々９個のＬＥＤ３１ｂが前記窓部を通じて下方に臨
むように保持体３２ａの上面側で前後方向に並んで保持される。
【００２２】
保持体３２ａの左右側端部には、図１〜図３に示すように、細長矩形板が長手方向に亘
ってコ字形状に曲折されてなる一対の枠部１１，１１が配設される。具体的に説明すると
、枠部１１は、図２及び図３に示すように、縦部１１ａと縦部１１ａの上下両端部から前
後方向に亘って内側へ延出する上延出部１１ｂ及び下延出部１１ｃとから構成される。そ
して、枠部１１，１１は、縦部１１ａが上述した保持体３２ａの上方へ曲折する左右側端
部に各々当接された状態で、例えばネジ止めにより保持体３２ａに固定される。
【００２３】
このように構成される枠体３２は、即ち、図２に示すように保持体３ａの下面から隙間
１０，１０を空けて折り返されてなる一対の折り返し片１２，１２を有する。また、枠体
３２は、図２に示すように、保持体３２ａの左側に配設される枠部１１の上延出部１１ｂ
右端が前後方向に亘って下方に曲折されることで、前方から見たときの断面が全体として
略鉤状に形成されてなる引掛部４を有する。
【００２４】
そして、本実施形態の保持体３２ａ上面には、図１及び図２に示すように、ＬＥＤ３１
ｂを点灯させるための点灯回路を備えた点灯装置１５が配設される。前記点灯回路とは、
例えば商用交流電源から給電される電力を整流する整流平滑回路や、整流された電力を直
流電力に変換するコンバータ回路を主な構成要素としている。点灯装置１５で生成された
直流電力が図示しないランプ線を通じて各ＬＥＤ３１ｂへ供給される。また、保持体３２
ａ上面には、この他にも点灯装置１５と電気的に接続されるとともに器具本体２の電源孔
２ａより引き込まれる図示しない電源線を介して外部電源（商用電源）と接続される端子
台１６が設置される。端子台１６は、図１に示すように、全体として略矩形箱に形成され
たケース内に所謂速結端子が複数収納されてなる。そして、図示しない電線の芯線先端部
が当該速結端子の入力端子部１６ａ〜１６ｃと対向して貫設される挿入口１７を介してこ
れらの端子部に抜き差し自在に接続されることで、端子台１６と前記電線との電気的及び
機械的接続が行われる。尚、入力端子部１６ａ〜１６ｃが配設される位置についての詳細
は後述する。
【００２５】
透光パネル３３は、図２及び図３（ｄ）に示すように、全体が透光性を有するアクリル
樹脂材料により形成されてなり、主部３３ａと一対の係止部３３ｂ，３３ｂとから構成さ
れる。主部３３ａは、光源ブロック３１の正方形と略同形の板状に形成され、更にその四
方周縁部が上方へ延出することで、全体として上面が開口した扁平な矩形箱に形成される
。そして、主部３３ａは、光源ブロック３１のＬＥＤ３１ｂと対向し、各ＬＥＤ３１ｂが
発する光を外部へ効率良く透光させるために円形状に内側へ窪んでなる９個のレンズ部３
３ｃを具備する。係止部３３ｂ，３３ｂは、主部３３ａの上方へ延出した左右側端部から
外側に突出してなる。
【００２６】
そして、６つの透光パネル３３は、次のように枠体３２へ取り付けられる。先ず、上述
した通り保持体３２ａ下面の左右両側端部と折り返し片１２，１２との間には前後方向に
亘って各々隙間１０，１０が空いていて、枠体３２の前後端部にて外部と連通するように
開放されている。そこで、透光パネル３３の係止部３３ｂ，３３ｂを枠体３２の前端部ま
たは後端部から隙間１０，１０に挿入し、前後方向に沿ってスライド移動させて透光パネ
ル３３を対応する光源ブロック３１の下方に配置させる。次に、係止部３３ｂ，３３ｂに
穿設されるネジ孔（図示せず）と保持体３２ａ下面の左右両側端部に貫設される挿通孔（
図示せず）との位置合わせを行う。そして、図２に示すように、保持体３２ａの上面側か
ら前記挿通孔を介してネジ１４を前記ネジ孔に螺合することで、前後方向のスライド移動
が規制されて透光パネル３３が枠体３２に取り付けられる。残りの５つの透光パネル３３
についても同様に、隙間１０より順に挿入してネジ止めすることで、６つの透光パネル３
３が６つの光源ブロック３１の下方で各々対向するように前後方向に並べられる。
【００２７】
上述のような灯体３は、次のように器具本体２に取り付けられる。先ず、図４に示すよ
うに、灯体３を透光パネル３３の配置される側を左方に向けて、その短手方向を上下方向
に向けた状態で保持する。次に、灯体３を器具本体に向かって上方から下方へ降ろして引
掛部４を被引掛部５へ引掛かける。これで灯体３は、灯体３の上面が器具本体２の下面に
対して垂直方向にある開位置と器具本体２の下面を塞ぐ閉位置との間で回動自在に支持さ
れる。次に、開位置にある灯体３に対して反時計回りに回動させて（図４の曲線矢印参照
）、器具本体２の下面を塞ぐ閉位置まで移動させる。そして、図１及び図２に示すように
固定ネジ６を灯体３の右端部に貫設される挿通孔３４、及び器具本体２の下面右端部に穿
設されるネジ孔１３に対して左方へ螺進させることで灯体３が器具本体２に固定され、保
持体３２ａ上面に配設される点灯装置１５や端子台１６が器具本体２内に収納される。
【００２８】
以下、本実施形態の照明器具１の作用について図１及び図５を参照しながら説明する。
本実施形態の端子台１６は、図１及び図５に示すように、灯体３が閉位置にあるとき上方
を向く端子台１６の上面１６ｄに入力端子部１６ａ〜１６ｃを２組有して、当該端子部と
各々対向するように計６個の挿入口１７が貫設される。２組の入力端子部１６ａ〜１６ｃ
は挿入口１７とともに、図１及び図５に示すように、灯体３が開位置にあるときに上面１
６ｄにて各々水平方向（前後方向）に沿って並んで設けられている。ここで、図５に示す
ように、例えば３本の電線８ａ〜８ｃが同一平面上に一列に並ぶようにシース９によって
被覆された略帯状の電源線８（ＶＶＦケーブル）を端子台１６に接続する際には、前後方
向に沿って並ぶ何れか１組の入力端子部１６ａ〜１６ｃに合わせて、電源線８の短手方向
を前後方向に向けながら電源孔２ａより垂下する電源線８を左方向へ曲げることになり、
各電線８ａ〜８ｃにかかる応力は略均等となる。因って、従来よりも電源線８を容易に曲
げることが出来る。また、電源線８を曲げたときに電線８ａ〜８ｃの芯線先端部から各々
対応する入力端子部１６ａ〜１６ｃまでの距離を均一に保つことができる。従って、配線
作業を容易に行うことができ、且つ電源線８との接続信頼性を向上させることができる。
【符号の説明】
【００２９】
１  照明器具
２  器具本体
３  灯体
４  引掛部
５  被引掛部
８  電源線
８ａ  電線
８ｂ  電線
８ｃ  電線
９  シース
１５  点灯装置
１６  端子台
１６ａ  入力端子部
１６ｂ  入力端子部
１６ｃ  入力端子部
１６ｄ  上面
【図１】
2011060718.tif 000003
【図２】
2011060718.tif 000004
【図３】
2011060718.tif 000005
【図４】
2011060718.tif 000006
【図５】
2011060718.tif 000007
【図６】
2011060718.tif 000008
【図７】
2011060718.tif 000009
【図８】
2011060718.tif 000010
【図９】
2011060718.tif 000011